(57)【要約】  無線基地局装置においてＣｏＭＰ送信時に干渉となる協調セルを適切に推定して、効果的にＣｏＭＰ送信すること。本発明の無線通信システムは、複数の無線基地局装置と、複数の無線基地局装置と協調マルチポイント送受信可能に構成されたユーザ端末（ＵＥ）と、を備え、ユーザ端末（ＵＥ）は、協調マルチポイント送信の際に干渉セルとなる候補セルの推定に使用する情報を送信する送信部を有し、無線基地局装置は、当該情報に基づいて協調マルチポイント送信の際に干渉セルとなる候補セルを推定する推定部を有する。
2013054683.tif 000002
【特許請求の範囲】
【請求項１】
複数の無線基地局装置と、前記複数の無線基地局装置と協調マルチポイント送受信可能に構成されたユーザ端末と、を備えた無線通信システムであって、
前記ユーザ端末は、協調マルチポイント送信の際に干渉セルとなる候補セルの推定に使用する情報を送信する送信部を有し、
前記無線基地局装置は、前記情報に基づいて協調マルチポイント送信の際に干渉セルとなる候補セルを推定する推定部を有することを特徴とする無線通信システム。
【請求項２】
前記情報が、共有データチャネル無送信候補セル情報であることを特徴とする請求項１記載の無線通信システム。
【請求項３】
前記ユーザ端末は、前記共有データチャネル無送信候補セル情報を、メジャメントレポートを用いてハイヤレイヤシグナリングで前記無線基地局装置に送信することを特徴とする請求項２記載の無線通信システム。
【請求項４】
前記ユーザ端末は、前記共有データチャネル無送信候補セル情報を、チャネル品質情報のフィードバックを用いてダイナミックに前記無線基地局装置に送信することを特徴とする請求項２記載の無線通信システム。
【請求項５】
前記情報が、メジャメントレポートの結果であることを特徴とする請求項１記載の無線通信システム。
【請求項６】
前記無線基地局装置は、前記メジャメントレポートの結果を用いて共有データチャネル無送信候補セルを推定することを特徴とする請求項５記載の無線通信システム。
【請求項７】
前記無線基地局装置は、前記共有データチャネル無送信候補セルの情報をハイヤレイヤシグナリングで前記ユーザ端末に送信することを特徴とする請求項６記載の無線通信システム。
【請求項８】
前記無線基地局装置は、前記共有データチャネル無送信候補セルの情報を下り制御チャネルを用いたダイナミックなシグナリングで前記ユーザ端末に送信することを特徴とする請求項６記載の無線通信システム。
【請求項９】
複数の無線基地局装置と、前記複数の無線基地局装置と協調マルチポイント送受信可能に構成されたユーザ端末と、を備えた無線通信システムにおける無線基地局装置であって、
前記無線基地局装置は、前記ユーザ端末から送信される情報に基づいて協調マルチポイント送信の際に干渉セルとなる候補セルを推定する推定部を有することを特徴とする無線基地局装置。
【請求項１０】
複数の無線基地局装置と、前記複数の無線基地局装置と協調マルチポイント送受信可能に構成されたユーザ端末と、を備えた無線通信システムにおけるユーザ端末であって、
前記ユーザ端末は、協調マルチポイント送信の際に干渉セルとなる候補セルの推定に使用する情報を送信する送信部を有することを特徴とするユーザ端末。
【請求項１１】
複数の無線基地局装置と、前記複数の無線基地局装置と協調マルチポイント送受信可能に構成されたユーザ端末と、を備えた無線通信システムの無線通信方法であって、
前記ユーザ端末において、協調マルチポイント送信の際に干渉セルとなる候補セルの推定に使用する情報を送信する工程と、
前記無線基地局装置において、前記情報に基づいて協調マルチポイント送信の際に干渉セルとなる候補セルを推定する工程と、を有することを特徴とする無線通信方法。
【発明の詳細な説明】
【技術分野】
【０００１】
本発明は、セルラーシステム等に適用可能な無線通信システム、無線基地局装置、ユーザ端末及び無線通信方法に関する。
【背景技術】
【０００２】
ＵＭＴＳ（Universal  Mobile  Telecommunications  System）ネットワークにおいては、周波数利用効率の向上、データレートの向上を目的として、ＨＳＤＰＡ（High  Speed  Downlink  Packet  Access）やＨＳＵＰＡ（High  Speed  Uplink  Packet  Access）を採用することにより、Ｗ−ＣＤＭＡ（Wideband‐Code  Division  Multiple  Access）をベースとしたシステムの特徴を最大限に引き出すことが行われている。このＵＭＴＳネットワークについては、更なる高速データレート、低遅延などを目的としてＬＴＥ（Long  Term  Evolution）が検討されている（非特許文献１）。【０００３】
第３世代のシステムは、概して５ＭＨｚの固定帯域を用いて、下り回線で最大２Ｍｂｐｓ程度の伝送レートを実現できる。一方、ＬＴＥのシステムでは、１．４ＭＨｚ〜２０ＭＨｚの可変帯域を用いて、下り回線で最大３００Ｍｂｐｓ及び上り回線で７５Ｍｂｐｓ程度の伝送レートを実現できる。また、ＵＭＴＳネットワークにおいては、更なる広帯域化及び高速化を目的として、ＬＴＥの後継のシステムも検討されている（例えば、ＬＴＥアドバンスト（ＬＴＥ−Ａ））。
【先行技術文献】
【非特許文献】
【０００４】
【非特許文献１】3GPP,  TR25.912  (V7.1.0),  "Feasibility  study  for  Evolved  UTRA  and  UTRAN",  Sept.  2006
【発明の概要】
【発明が解決しようとする課題】
【０００５】
ところで、ＬＴＥシステムに対してさらにシステム性能を向上させるための有望な技術の１つとして、セル間直交化がある。例えば、ＬＴＥ−Ａシステムでは、上下リンクとも直交マルチアクセスによりセル内の直交化が実現されている。すなわち、下りリンクでは、周波数領域においてユーザ端末ＵＥ（User  Equipment）間で直交化されている。一方、セル間はＷ−ＣＤＭＡと同様、１セル周波数繰り返しによる干渉ランダム化が基本である。【０００６】
そこで、３ＧＰＰ（３rd  Generation  Partnership  Project）では、セル間直交化を実現するための技術として、協調マルチポイント送受信（ＣｏＭＰ：Coordinated  Multi-Point  transmission/reception）技術が検討されている。このＣｏＭＰ送受信では、１つあるいは複数のユーザ端末ＵＥに対して複数のセルが協調して送受信の信号処理を行う。例えば、下りリンクでは、プリコーディングを適用する複数セル同時送信、協調スケジューリング／ビームフォーミングなどが検討されている。これらのＣｏＭＰ送受信技術の適用により、特にセル端に位置するユーザ端末ＵＥのスループット特性の改善が期待される。【０００７】
下りリンクのＣｏＭＰ送受信には、Coordinated  Scheduling/Coordinated  Beamformingと、Joint  processingとがある。また、Joint  processingには、１つのユーザ端末ＵＥに対して複数のセルから共有データチャネルを送信するJoint  transmissionと、瞬時に１つのセルを選択し共有データチャネルを送信するDynamic  Point  Selection（以下、「ＤＰＳ」という）とがある。ＣｏＭＰ送信（ＤＰＳ）が適用される場合においては、干渉となる協調セルのデータ送信を停止することから、効率的にＣｏＭＰ送信（ＤＰＳ）の制御を行うためには、無線基地局装置でＣｏＭＰ送信時に干渉となる協調セルを適切に推定することが求められる。【０００８】
本発明はかかる点に鑑みてなされたものであり、無線基地局装置においてＣｏＭＰ送信時に干渉となる協調セルを適切に推定して、効果的にＣｏＭＰ送信することができる無線通信システム、無線基地局装置、ユーザ端末及び無線通信方法を提供することを目的とする。
【課題を解決するための手段】
【０００９】
本発明の無線通信システムは、複数の無線基地局装置と、前記複数の無線基地局装置と協調マルチポイント送受信可能に構成されたユーザ端末と、を備えた無線通信システムであって、前記ユーザ端末は、協調マルチポイント送信の際に干渉セルとなる候補セルの推定に使用する情報を送信する送信部を有し、前記無線基地局装置は、前記情報に基づいて協調マルチポイント送信の際に干渉セルとなる候補セルを推定する推定部を有することを特徴とする。【００１０】
本発明の無線基地局装置は、複数の無線基地局装置と、前記複数の無線基地局装置と協調マルチポイント送受信可能に構成されたユーザ端末と、を備えた無線通信システムにおける無線基地局装置であって、前記無線基地局装置は、前記ユーザ端末から送信される情報に基づいて協調マルチポイント送信の際に干渉セルとなる候補セルを推定する推定部を有することを特徴とする。【００１１】
本発明のユーザ端末は、複数の無線基地局装置と、前記複数の無線基地局装置と協調マルチポイント送受信可能に構成されたユーザ端末と、を備えた無線通信システムにおけるユーザ端末であって、前記ユーザ端末は、協調マルチポイント送信の際に干渉セルとなる候補セルの推定に使用する情報を送信する送信部を有することを特徴とする。【００１２】
本発明の無線通信方法は、複数の無線基地局装置と、前記複数の無線基地局装置と協調マルチポイント送受信可能に構成されたユーザ端末と、を備えた無線通信システムの無線通信方法であって、前記ユーザ端末において、協調マルチポイント送信の際に干渉セルとなる候補セルの推定に使用する情報を送信する工程と、前記無線基地局装置において、前記情報に基づいて協調マルチポイント送信の際に干渉セルとなる候補セルを推定する工程と、を有することを特徴とする。
【発明の効果】
【００１３】
本発明によれば、無線基地局装置においてＣｏＭＰ送信時に干渉となる協調セルを適切に推定して、効果的にＣｏＭＰ送信することができる。
【図面の簡単な説明】
【００１４】
【図１】協調マルチポイント送信を説明するための図である。
【図２】協調マルチポイント送受信に適用される無線基地局装置の構成を示す模式図である。
【図３】無線通信システムのセル構成を説明するための模式図である。
【図４】ＣｏＭＰ送信（ＤＰＳ）のシーケンス図である。
【図５】ＣｏＭＰ送信（ＤＰＳ）におけるチャネル品質測定用セルのセル構成を示す模式図である。
【図６】無線通信システムのシステム構成を説明するための図である。
【図７】無線基地局装置の全体構成を示すブロック図である。
【図８】ユーザ端末の全体構成を示すブロック図である。
【図９】集中制御型の無線基地局装置のベースバンド処理部の構成を示すブロック図である。
【図１０】自律分散制御型の無線基地局装置のベースバンド処理部の構成を示すブロック図である。
【図１１】ユーザ端末におけるベースバンド信号処理部の構成を示すブロック図である。
【発明を実施するための形態】
【００１５】
以下、本発明の実施の形態について、添付図面を参照して詳細に説明する。
【００１６】
まず、図１を用いて下りリンクのＣｏＭＰ送信について説明する。下りリンクのＣｏＭＰ送信としては、Coordinated  Scheduling/Coordinated  Beamformingと、Joint  processingとがある。Coordinated  Scheduling/Coordinated  Beamformingは、１つのユーザ端末ＵＥに対して１つのセルからのみ共有データチャネルを送信する方法であり、図１Ａに示すように、他セルからの干渉や他セルへの干渉を考慮して周波数／空間領域における無線リソースの割り当てを行う。一方、Joint  processingは、プリコーディングを適用して複数のセルから同時に共有データチャネルを送信する方法であり、図１Ｂに示すように、１つのユーザ端末ＵＥに対して複数のセルから共有データチャネルを送信するJoint  transmissionと、図１Ｃに示すように、瞬時に１つのセルを選択し共有データチャネルを送信するDynamic  Point  Selection（ＤＰＳ）とがある。
【００１７】
ＣｏＭＰ送受信を実現する構成としては、例えば、図２Ａに示すように、無線基地局装置（無線基地局装置ｅＮＢ）に対して光ファイバ等で接続された複数の遠隔無線装置（ＲＲＥ：Remote  Radio  Equipment）とを含む構成（ＲＲＥ構成に基づく集中制御）と、図２Ｂに示すように、無線基地局装置（無線基地局装置ｅＮＢ）の構成（独立基地局構成に基づく自律分散制御）とがある。なお、図２Ａにおいては、複数の遠隔無線装置ＲＲＥを含む構成を示すが、図１に示すように、単一の遠隔無線装置ＲＲＥのみを含む構成としてもよい。
【００１８】
図２Ａに示す構成（ＲＲＥ構成）においては、遠隔無線装置ＲＲＥ１，ＲＲＥ２を無線基地局装置ｅＮＢで集中的に制御する。ＲＲＥ構成では、複数の遠隔無線装置ＲＲＥのベースバンド信号処理及び制御を行う無線基地局装置ｅＮＢ（集中基地局）と各セル（すなわち、各遠隔無線装置ＲＲＥ）との間が光ファイバを用いたベースバンド信号で接続されるため、セル間の無線リソース制御を集中基地局において一括して行うことができる。すなわち、独立基地局構成で問題となる無線基地局装置ｅＮＢ間のシグナリングの遅延やオーバヘッドの問題が小さく、セル間の高速な無線リソース制御が比較的容易となる。したがって、ＲＲＥ構成においては、下りリンクでは、複数セル同時送信のような高速なセル間の信号処理を用いる方法が適用できる。
【００１９】
一方、図２Ｂに示す構成（独立基地局構成）においては、複数の無線基地局装置ｅＮＢ（又はＲＲＥ）でそれぞれスケジューリングなどの無線リソース割り当て制御を行う。この場合においては、セル１の無線基地局装置ｅＮＢとセル２の無線基地局装置ｅＮＢとの間のＸ２インターフェースで必要に応じてタイミング情報やスケジューリングなどの無線リソース割り当て情報をいずれかの無線基地局装置ｅＮＢに送信して、セル間の協調を行う。
【００２０】
図１Ｃに示すＣｏＭＰ送信（ＤＰＳ）では、ユーザ端末ＵＥが生成したチャネル品質情報（ＣＱＩ：Channel  Quality  Indicator）に基づいて、共有データチャネルを送信するセルが瞬時に選択される。また、選択された送信セルからの信号に対して干渉となる協調セルの無線リソース（resource  block）における送信を停止することで、セル境界のユーザ端末ＵＥの受信ＳＩＮＲ（Signal  to  Interference  and  Noise  Ratio）を大きく改善できる。
【００２１】
ここで、ＣｏＭＰ送信（ＤＰＳ）において、ユーザ端末ＵＥに共有データチャネルを送信するセル（ＣｏＭＰ送信伝達セル）の決定方法について、図３を参照して説明する。図３は、無線通信システムのセル構成を説明するための模式図である。
【００２２】
まず、サービングセルにおける無線基地局装置ｅＮＢが、ユーザ端末ＵＥに、メジャメント候補セル（RRM  measurement  set）１１０をＲＲＣ（Radio  Resource  Control）プロトコルの制御信号によって通知する。
【００２３】
ユーザ端末ＵＥは、各メジャメント候補セル１１０から受信したＣＲＳ（Cell  specific  Reference  Signal）又はＣＳＩ−ＲＳ（Channel  State  Information  Reference  Signal）に基づいて、ＲＳＲＰ（Reference  Signal  Received  Power）／ＲＳＲＱ（Reference  Signal  Received  Quality）を測定する。そして、ユーザ端末ＵＥは、ＲＳＲＰ／ＲＳＲＱの測定結果より、ＣｏＭＰ送信（ＤＰＳ）を要求すべきか否か判定する。ＣｏＭＰ送信（ＤＰＳ）を要求すべきか否かの判定は、例えば、周辺セルのＲＳＲＰ／ＲＳＲＱが、サービングセルのＲＳＲＰ／ＲＳＲＱを上回ったか否か、あるいは、サービングセルのＲＳＲＰ／ＲＳＲＱがしきい値を下回ったか否かなどで行う。ユーザ端末ＵＥが、ＲＳＲＰ／ＲＳＲＱの測定結果より、ＣｏＭＰ送信（ＤＰＳ）を要求すべきと判定した場合には、無線基地局装置ｅＮＢに対してメジャメントレポート（測定報告）結果を、ハイヤレイヤシグナリング（例えば、ＲＲＣシグナリング）で報告し、ＣｏＭＰ送信（ＤＰＳ）を要求する。なお、ユーザ端末ＵＥから無線基地局装置ｅＮＢへ送信されるメジャメントレポート結果の内容には、サービングセルのＲＳＲＰ／ＲＳＲＱ及び周辺セルのＲＥＲＰ／ＲＳＲＱが含まれる。
【００２４】
無線基地局装置ｅＮＢは、メジャメントレポート結果に基づいて、メジャメント候補セル１１０の中からチャネル品質測定用セル（CoMP  measurement  set）１１１を指定する。そして、無線基地局装置ｅＮＢは、チャネル品質測定用セル（CoMP  measurement  set）１１１の通知を含むコネクション再構成信号（RRC  Connection  Reconfiguration）を、ＣｏＭＰ送信（ＤＰＳ）を適用すべきユーザ端末ＵＥに対して送信する。
【００２５】
ユーザ端末ＵＥは、無線基地局装置ｅＮＢからのコネクション再構成信号に対応して、チャネル品質測定用セル１１１の通知を受信したことを通知するためのコネクション再構成完了信号（RRC  Connection  Reconfiguration  Complete）を無線基地局装置ｅＮＢに対して送信する。
【００２６】
その後、ユーザ端末ＵＥは、無線基地局装置ｅＮＢから通知されたチャネル品質測定用セル１１１の中から、強い干渉を与える共有データチャネル無送信候補セルを判定し、当該セルからの共有データチャネルを無送信とした場合のＣＱＩを、ＰＵＣＣＨ（Physical  Uplink  Control  Channel）で無線基地局装置ｅＮＢへとフィードバックする。
【００２７】
無線基地局装置ｅＮＢは、ユーザ端末ＵＥからフィードバックされたＣＱＩに基づいて、チャネル品質測定用セルの中からＣｏＭＰ送信伝達セル（CoMP  transmission  points）を決定する。
【００２８】
上述したように、ＣｏＭＰ送信（ＤＰＳ）では、ユーザ端末ＵＥは、無線基地局装置ｅＮＢから通知されたチャネル品質測定用セル１１１の中から、強い干渉を与える共有データチャネル無送信候補セルを判定し、当該セルからの共有データチャネルを無送信とした場合のＣＱＩを無線基地局装置ｅＮＢにフィードバックする。しかしながら、無線基地局装置ｅＮＢでは、ユーザ端末ＵＥが、チャネル品質測定用セル１１１におけるどのセルを共有データチャネル無送信候補セルと判定してＣＱＩをフィードバックしたか推定できないため、無線基地局装置ｅＮＢ側で干渉となる協調セルを適切に推定できないという問題があった。
【００２９】
本発明者らはこの点に着目し、ＣｏＭＰ送信（ＤＰＳ）が適用される場合において、無線基地局装置ｅＮＢが共有データチャネル無送信候補セルを推定できるようにすることで、干渉となる協調セルを適切に推定可能になることを見出して本発明を完成させた。
【００３０】
すなわち、本発明の骨子は、ＣｏＭＰ送信（ＤＰＳ）が適用される場合において、無線基地局装置ｅＮＢが、ユーザ端末ＵＥからの情報に基づいて、ＣｏＭＰ送信時に干渉となる協調セルを適切に推定して、効果的にＣｏＭＰ送信することにある。
【００３１】
本発明において、無線基地局装置ｅＮＢが共有データチャネル無送信候補セル（ＣｏＭＰ送信の際に干渉セルとなるセル）を推定する際に使用するユーザ端末ＵＥからの情報としては、ユーザ端末ＵＥからのセル情報（共有データチャネル無送信候補セル情報）と、メジャメントレポートの結果とが挙げられる。ユーザ端末ＵＥからの情報が共有データチャネル無送信候補セル情報である場合には、ユーザ端末ＵＥから無線基地局装置ｅＮＢにシグナリングし（方法１）、ユーザ端末ＵＥからの情報がメジャメントレポートの結果である場合には、無線基地局装置ｅＮＢからユーザ端末ＵＥにシグナリングする（方法２）。
【００３２】
また、ユーザ端末ＵＥからの情報が共有データチャネル無送信候補セル情報である場合には、メジャメントレポート結果を用いてハイヤレイヤシグナリングでユーザ端末ＵＥから無線基地局装置ｅＮＢに共有データチャネル無送信候補セル情報をシグナリングする方法（方法１−１）と、チャネル品質情報（ＣＱＩ）のフィードバックを用いてダイナミックにユーザ端末ＵＥから無線基地局装置ｅＮＢに共有データチャネル無送信候補セル情報をシグナリングする方法（方法１−２）とがある。
【００３３】
また、ユーザ端末ＵＥからの情報がメジャメントレポートの結果である場合には、無線基地局装置ｅＮＢは、ユーザ端末ＵＥから送られたメジャメントレポート結果から共有データチャネル無送信候補セルを推定し、この共有データチャネル無送信候補セル情報をユーザ端末ＵＥにシグナリングする。このシグナリングとしては、ハイヤレイヤシグナリング、ＰＤＣＣＨを用いたダイナミックなシグナリングが挙げられる。
【００３４】
（方法１）
方法１においては、ユーザ端末ＵＥから無線基地局装置ｅＮＢにシグナリングされる共有データチャネル無送信候補セル情報を用いて、無線基地局装置ｅＮＢが共有データチャネル無送信候補セルを推定する。この場合、ユーザ端末ＵＥからの共有データチャネル無送信候補セル情報は、メジャメントレポート結果を用いてハイヤレイヤシグナリングでシグナリングされるか（方法１−１）、あるいは、ＣＱＩのフィードバックを用いてダイナミックにシグナリングされる（方法１−２）。
【００３５】
（方法１−１）
ユーザ端末ＵＥが、メジャメントレポート結果を用いてハイヤレイヤシグナリングで共有データチャネル無送信候補セル情報を無線基地局装置ｅＮＢにシグナリングする場合のＣｏＭＰ送信伝達セル１１２の決定方法について、図３，図４を参照して説明する。図４は、ＣｏＭＰ送信（ＤＰＳ）のシーケンス図である。
【００３６】
まず、サービングセルにおける無線基地局装置ｅＮＢが、ユーザ端末ＵＥに、メジャメント候補セル１１０をＲＲＣプロトコルの制御信号によって通知する（Ｓ１１）。
【００３７】
ユーザ端末ＵＥは、各メジャメント候補セル１１０から受信したＣＲＳ又はＣＳＩ−ＲＳに基づいて、ＲＳＲＰ／ＲＳＲＱを測定する。そして、ユーザ端末ＵＥは、ＲＳＲＰ／ＲＳＲＱの測定結果に基づいて、ＣｏＭＰ送信（ＤＰＳ）を要求すべきか否か判定するとともに、強い干渉を与えることが予想される共有データチャネル無送信候補セルを推定する。共有データチャネル無送信候補セルは、例えば、当該セルのＲＳＲＰ／ＲＳＲＱがサービングセルのＲＳＲＰ／ＲＳＲＱを上回ったか否か、あるいは、当該セルのＲＳＲＰ／ＲＳＲＱがしきい値を上回ったか否かなどによって推定する。
【００３８】
ユーザ端末ＵＥが、ＲＳＲＰ／ＲＳＲＱの測定結果より、ＣｏＭＰ送信（ＤＰＳ）を要求すべきと判定した場合には、無線基地局装置ｅＮＢに対して、メジャメントレポート結果とともに共有データチャネル無送信候補セル情報を、ハイヤレイヤシグナリング（例えば、ＲＲＣシグナリング）で報告する（Ｓ１２）。
【００３９】
無線基地局装置ｅＮＢは、メジャメントレポート結果及び共有データチャネル無送信候補セル情報に基づいて、メジャメント候補セル１１０の中からチャネル品質測定用セル１１１を指定する。このとき、無線基地局装置ｅＮＢは、ユーザ端末ＵＥからの共有データ無送信候補セル情報を考慮して、例えば、共有データチャネル無送信候補セルを含まないようにチャネル品質測定用セル１１１を指定する。そして、無線基地局装置ｅＮＢは、チャネル品質測定用セル１１１の通知を含むコネクション再構成信号を、ＣｏＭＰ送信（ＤＰＳ）を適用すべきユーザ端末ＵＥに対して送信する（Ｓ１３）。
【００４０】
ユーザ端末ＵＥは、無線基地局装置ｅＮＢからのコネクション再構成信号に対応して、チャネル品質測定用セル１１１の通知を受信したことを通知するためのコネクション再構成完了信号を無線基地局装置ｅＮＢに対して送信する（Ｓ１４）。
【００４１】
その後、ユーザ端末ＵＥは、無線基地局装置ｅＮＢから通知されたチャネル品質測定用セル１１１の中から、強い干渉を与える共有データチャネル無送信候補セルを判定し、当該セルからの共有データチャネルを無送信とした場合のＣＱＩを、ＰＵＣＣＨで無線基地局装置ｅＮＢへとフィードバックする（Ｓ１５）。
【００４２】
無線基地局装置ｅＮＢは、ユーザ端末ＵＥからフィードバックされたＣＱＩに基づいて、チャネル品質測定用セル１１１の中からＣｏＭＰ送信伝達セル１１２を決定する。
【００４３】
このように、ユーザ端末ＵＥが、メジャメントレポート結果を用いて共有データチャネル無送信候補セル情報を無線基地局装置ｅＮＢにシグナリングする場合には、無線基地局装置ｅＮＢは、ユーザ端末ＵＥからの情報に基づいて、チャネル品質測定用セル１１１を指定する段階で、強い干渉を与える共有データチャネル無送信候補セルを推定することができる。したがって、ＣｏＭＰ送信（ＤＰＳ）時に干渉となる協調セルを適切に推定して、効果的にＣｏＭＰ送信することが可能となる。
【００４４】
（方法１−２）
一方、ユーザ端末ＵＥが、ＣＱＩのフィードバックを用いてダイナミックに共有データチャネル無送信候補セル情報を無線基地局装置ｅＮＢにシグナリングする場合のＣｏＭＰ送信伝達セル１１２の決定方法について、図３〜図５を参照して説明する。図５は、ＣｏＭＰ送信（ＤＰＳ）におけるチャネル品質測定用セルのセル構成を示す模式図である。図５において、セル１はサービングセルであり、セル２，３は周辺セルである。
【００４５】
まず、サービングセルにおける無線基地局装置ｅＮＢが、ユーザ端末ＵＥに、メジャメント候補セル１１０をＲＲＣプロトコルの制御信号によって通知する（Ｓ１１）。
【００４６】
ユーザ端末ＵＥは、各メジャメント候補セル１１０から受信したＣＲＳ又はＣＳＩ−ＲＳに基づいて、ＲＳＲＰ／ＲＳＲＱを測定する。そして、ユーザ端末ＵＥが、ＲＳＲＰ／ＲＳＲＱの測定結果より、ＣｏＭＰ送信（ＤＰＳ）を要求すべきと判定した場合には、無線基地局装置ｅＮＢに対して、メジャメントレポート結果を、ハイヤレイヤシグナリング（例えば、ＲＲＣシグナリング）で報告する（Ｓ１２）。
【００４７】
無線基地局装置ｅＮＢは、メジャメントレポート結果に基づいて、メジャメント候補セル１１０の中からチャネル品質測定用セル１１１を指定する。そして、無線基地局装置ｅＮＢは、チャネル品質測定用セル１１１の通知を含むコネクション再構成信号を、ＣｏＭＰ送信（ＤＰＳ）を適用すべきユーザ端末ＵＥに対して送信する（Ｓ１３）。
【００４８】
ユーザ端末ＵＥは、無線基地局装置ｅＮＢからのコネクション再構成信号に対応して、チャネル品質測定用セル１１１の通知を受信したことを通知するためのコネクション再構成完了信号を無線基地局装置ｅＮＢに対して送信する（Ｓ１４）。
【００４９】
その後、ユーザ端末ＵＥは、無線基地局装置ｅＮＢから通知されたチャネル品質測定用セル１１１におけるＣＱＩを測定し、強い干渉を与える共有データチャネル無送信候補セルを判定する。そして、当該共有データチャネル無送信候補セルを無送信とした場合のＣＱＩを、ＰＵＣＣＨを用いて無線基地局装置ｅＮＢへとフィードバックする（Ｓ１５）とともに、当該共有データチャネル無送信候補セル情報を、ＰＵＣＣＨで無線基地局装置ｅＮＢにシグナリングする。
【００５０】
例えば、図５に示すセル１のＣＱＩを測定する場合、ユーザ端末ＵＥは、次の４パターンのＣＱＩを測定する：（１）セル２，３からの共有データチャネルを送信とした場合、（２）セル２からの共有データチャネルを無送信とした場合、（３）セル３からの共有データチャネルを無送信とした場合、（４）セル２，３からの共有データチャネルを無送信とした場合。ユーザ端末ＵＥは、セル２，３についても同様に、それぞれ４パターンのＣＱＩを測定する。そして、ユーザ端末ＵＥは、測定したすべてのＣＱＩの中から、最も通信品質の高いＣＱＩ、すなわち強い干渉を与える共有データチャネル無送信候補セルからの共有データチャネルを無送信とした場合のＣＱＩを判定する。例えば、上記（２）におけるＣＱＩが最も通信品質の高いＣＱＩであった場合には、セル１をサービングセルとした場合に、強い干渉を与える共有データチャネル無送信候補セルはセル２であると判定できる。この場合、ユーザ端末ＵＥは、上記（２）におけるＣＱＩ（セル１をサービングセルとし、セル２からの共有データチャネルを無送信とした場合のＣＱＩ）を無線基地局装置ｅＮＢへとフィードバックするとともに、共有データチャネル無送信候補セルであるセル２を示すセル情報（例えば、ビットマップ情報）を無線基地局装置ｅＮＢにシグナリングする。
【００５１】
無線基地局装置ｅＮＢは、ユーザ端末ＵＥからフィードバックされたＣＱＩ及び共有データチャネル無送信候補セル情報に基づいて、チャネル品質測定用セル１１１の中からユーザ端末ＵＥに共有データチャネルを送信するＣｏＭＰ送信伝達セル１１２を決定する。
【００５２】
このように、ユーザ端末ＵＥが、ＣＱＩフィードバックを用いて共有データチャネル無送信候補セル情報を無線基地局装置ｅＮＢにシグナリングする場合には、無線基地局装置ｅＮＢは、ユーザ端末ＵＥからの情報に基づいて、共有データチャネル無送信候補セルを精度高く判定できる。したがって、ＣｏＭＰ送信（ＤＰＳ）時に干渉となる協調セルを適切に推定して、効果的にＣｏＭＰ送信することが可能となる。
【００５３】
なお、ユーザ端末ＵＥから共有データチャネル無送信候補セルをシグナリングする送信先である無線基地局装置ｅＮＢは、通常のマクロ基地局であってもよいし、低送信電力基地局（例えば、Phantom  cell）であってもよい。また、ユーザ端末ＵＥから共有データチャネル無送信候補セルを通知された低送信電力基地局（例えば、Phantom  cell）が、通知された共有データチャネル無送信候補セルをマクロ基地局に通知する構成であってもよい。
【００５４】
（方法２）
方法２においては、ユーザ端末ＵＥから無線基地局装置ｅＮＢに送られるメジャメントレポート結果から、無線基地局装置ｅＮＢが共有データチャネル無送信候補セルを推定し、この共有データチャネル無送信候補セル情報をユーザ端末ＵＥにシグナリングする。この場合のＣｏＭＰ送信伝達セル１１２の決定方法について、図３〜図５を参照して説明する。
【００５５】
まず、サービングセルにおける無線基地局装置ｅＮＢが、ユーザ端末ＵＥに、メジャメント候補セル１１０をＲＲＣプロトコルの制御信号によって通知する（Ｓ１１）。
【００５６】
ユーザ端末ＵＥは、各メジャメント候補セル１１０から受信したＣＲＳ又はＣＳＩ−ＲＳに基づいて、ＲＳＲＰ／ＲＳＲＱを測定する。そして、ユーザ端末ＵＥが、ＲＳＲＰ／ＲＳＲＱの測定結果より、ＣｏＭＰ送信（ＤＰＳ）を要求すべきと判定した場合には、無線基地局装置ｅＮＢに対して、メジャメントレポート結果を、ハイヤレイヤシグナリング（例えば、ＲＲＣシグナリング）で報告する（Ｓ１２）。
【００５７】
無線基地局装置ｅＮＢは、メジャメントレポート結果（ＲＳＲＰ／ＲＳＲＱ）に基づいて、メジャメント候補セル１１０の中からチャネル品質測定用セル１１１を指定するとともに、共有データチャネル無送信候補セルを推定する。そして、無線基地局装置ｅＮＢは、チャネル品質測定用セル１１１の通知を含むコネクション再構成信号を、ＣｏＭＰ送信（ＤＰＳ）を適用すべきユーザ端末ＵＥに対して送信する（Ｓ１３）とともに、共有データチャネル無送信候補セル情報をユーザ端末ＵＥにシグナリングする。
【００５８】
無線基地局装置ｅＮＢにおける共有データチャネル無送信候補セルの推定方法について、図５を参照して説明する。ユーザ端末ＵＥからのメジャメントレポート結果より、各セルにおける受信レベル（ＲＳＲＰ／ＲＳＲＱ）が、セル１（サービングセル）＞セル２＞セル３であった場合、無線基地局装置ｅＮＢは、セル２が共有データチャネル無送信候補セルであると推定する。
【００５９】
その後、無線基地局装置ｅＮＢは、ユーザ端末ＵＥに対して、セル２を共有データチャネル無送信候補セルとした場合のＣＱＩをフィードバックするようにシグナリングする。共有データチャネル無送信候補セル情報は、ハイヤレイヤシグナリング（例えば、ＲＲＣシグナリング）で準静的にシグナリングされるか、あるいは、ＰＤＣＣＨを用いてダイナミックにシグナリングされる。
【００６０】
ユーザ端末ＵＥは、無線基地局装置ｅＮＢからのコネクション再構成信号に対応して、チャネル品質測定用セル１１１の通知を受信したことを通知するためのコネクション再構成完了信号を無線基地局装置ｅＮＢに対して送信する（Ｓ１４）。
【００６１】
その後、ユーザ端末ＵＥは、無線基地局装置ｅＮＢから通知されたチャネル品質測定用セル１１１におけるＣＱＩを測定する。このとき、ユーザ端末ＵＥは、無線基地局装置ｅＮＢから指定された共有データチャネル無送信候補セルを無送信とした場合のＣＱＩを測定する。そして、ユーザ端末ＵＥは、測定したＣＱＩを、ＰＵＣＣＨで無線基地局装置ｅＮＢへとフィードバックする（Ｓ１５）。
【００６２】
無線基地局装置ｅＮＢは、ユーザ端末ＵＥからフィードバックされたＣＱＩに基づいて、チャネル品質測定用セル１１１の中からユーザ端末ＵＥに共有データチャネルを送信するＣｏＭＰ送信伝達セル１１２を決定する。
【００６３】
このように、無線基地局装置ｅＮＢが、ユーザ端末ＵＥから送られるメジャメントレポート結果から共有データチャネル無送信候補セルを推定して、この共有データチャネル無送信候補セル情報をユーザ端末ＵＥにシグナリングする場合には、ユーザ端末ＵＥからフィードバックされるＣＱＩのオーバヘッドを低減できるため、信号量を減らすことが可能となる。また、無線基地局装置ｅＮＢが、ユーザ端末ＵＥから送られるメジャメントレポート結果から共有データチャネル無送信候補セルを推定することから、ＣｏＭＰ送信（ＤＰＳ）時に干渉となる協調セルを適切に推定して、効果的にＣｏＭＰ送信することが可能となる。
【００６４】
無線基地局装置ｅＮＢが共有データチャネル無送信候補セルをユーザ端末ＵＥにシグナリングする場合には、通常のマクロ基地局からユーザ端末ＵＥに対して共有データチャネル無送信候補セルを通知してもよいし、低送信電力基地局（例えば、Phantom  cell）からユーザ端末ＵＥに対して共有データチャネル無送信候補セルを通知してもよい。低送信電力基地局（例えば、Phantom  cell）からユーザ端末ＵＥに対して共有データチャネル無送信候補セルを通知する場合には、あらかじめマクロ基地局から低送信電力基地局（例えば、Phantom  cell）に対して共有データチャネル無送信候補セルを通知しておく構成であってもよい。
【００６５】
以下、本発明の実施の形態について詳細に説明する。図６は、本実施の形態に係る無線通信システムのシステム構成の説明図である。なお、図６に示す無線通信システムは、例えば、ＬＴＥシステムあるいは、ＳＵＰＥＲ  ３Ｇが包含されるシステムである。この無線通信システムでは、ＬＴＥシステムのシステム帯域を一単位とする複数の基本周波数ブロックを一体としたキャリアアグリゲーションが用いられている。また、この無線通信システムは、ＩＭＴ−Ａｄｖａｎｃｅｄと呼ばれてもよく、４Ｇと呼ばれてもよい。
【００６６】
図６に示すように、無線通信システム１は、無線基地局装置２０Ａ，２０Ｂと、この無線基地局装置２０Ａ，２０Ｂと通信する複数の第１、第２のユーザ端末１０Ａ，１０Ｂとを含んで構成されている。無線基地局装置２０Ａ，２０Ｂは、上位局装置３０と接続され、この上位局装置３０は、コアネットワーク４０と接続される。また、無線基地局装置２０Ａ，２０Ｂは、有線接続又は無線接続により相互に接続されている。第１、第２のユーザ端末１０Ａ，１０Ｂは、セル１，２において無線基地局装置２０Ａ，２０Ｂと通信を行うことができる。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されない。
【００６７】
第１、第２のユーザ端末１０Ａ，１０Ｂは、ＬＴＥ端末及びＬＴＥ−Ａ端末を含むが、以下においては、特段の断りがない限り第１、第２のユーザ端末１０Ａ，１０Ｂとして説明を進める。また、説明の便宜上、無線基地局装置２０Ａ，２０Ｂと移動端末装置である第１、第２のユーザ端末１０Ａ，１０Ｂが無線通信するものとして説明するが、第１、第２のユーザ端末１０Ａ，１０Ｂは、より一般的には固定端末装置も含むユーザ装置でよい。
【００６８】
無線通信システム１においては、無線アクセス方式として、下りリンクについてはＯＦＤＭＡ（直交周波数分割多元接続）が、上りリンクについてはＳＣ−ＦＤＭＡ（シングルキャリア−周波数分割多元接続）が適用されるが、無線アクセス方式はこれに限定されない。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域を端末毎に１つ又は連続したリソースブロックからなる帯域に分割し、複数の端末が互いに異なる帯域を用いることで、端末間の干渉を低減するシングルキャリア伝送方式である。
【００６９】
ここで、通信チャネルについて説明する。下りリンクの通信チャネルは、第１、第２のユーザ端末１０Ａ，１０Ｂで共有される下りデータチャネルとしてのＰＤＳＣＨ（Physical  Downlink  Shared  Channel）と、下りＬ１／Ｌ２制御チャネル（ＰＤＣＣＨ、ＰＣＦＩＣＨ、ＰＨＩＣＨ）とを有する。ＰＤＳＣＨにより、送信データ及び上位制御情報が伝送される。ＰＤＣＣＨ（Physical  Downlink  Control  Channel）により、ＰＤＳＣＨおよびＰＵＳＣＨのスケジューリング情報等が伝送される。ＰＣＦＩＣＨ（Physical  Control  Format  Indicator  Channel）により、ＰＤＣＣＨに用いるＯＦＤＭシンボル数が伝送される。ＰＨＩＣＨ（Physical  Hybrid−ARQ  Indicator  Channel）により、ＰＵＳＣＨに対するＨＡＲＱのＡＣＫ／ＮＡＣＫが伝送される。
【００７０】
上りリンクの通信チャネルは、各ユーザ端末１０Ａ，１０Ｂで共有される上りデータチャネルとしてのＰＵＳＣＨと、上りリンクの制御チャネルであるＰＵＣＣＨとを有する。このＰＵＳＣＨにより、送信データや上位制御情報が伝送される。また、ＰＵＣＣＨにより、下りリンクの無線品質情報（ＣＱＩ：Channel  Quality  Indicator）、ＡＣＫ／ＮＡＣＫなどが伝送される。
【００７１】
図７を参照しながら、本実施の形態に係る無線基地局装置の全体構成について説明する。なお、無線基地局装置２０Ａ，２０Ｂは、同様な構成であるため、無線基地局装置２０として説明する。また、第１、第２のユーザ端末１０Ａ，１０Ｂも、同様な構成であるため、ユーザ端末１０として説明する。無線基地局装置２０は、送受信アンテナ２０１ａ，２０１ｂと、アンプ部２０２ａ，２０２ｂと、送受信部２０３ａ，２０３ｂと、ベースバンド信号処理部２０４と、呼処理部２０５と、伝送路インターフェース２０６とを備えている。下りリンクにより無線基地局装置２０からユーザ端末１０に送信される送信データは、上位局装置３０から伝送路インターフェース２０６を介してベースバンド信号処理部２０４に入力される。
【００７２】
ベースバンド信号処理部２０４において、下りデータチャネルの信号は、ＰＤＣＰレイヤの処理、送信データの分割・結合、ＲＬＣ（Radio  Link  Control）再送制御の送信処理などのＲＬＣレイヤの送信処理、ＭＡＣ（Medium  Access  Control）再送制御、例えば、ＨＡＲＱの送信処理、スケジューリング、伝送フォーマット選択、チャネル符号化、逆高速フーリエ変換（ＩＦＦＴ）処理、プリコーディング処理が行われる。また、下りリンク制御チャネルである物理下りリンク制御チャネルの信号に関しても、チャネル符号化や逆高速フーリエ変換等の送信処理が行われる。
【００７３】
また、ベースバンド信号処理部２０４は、報知チャネルにより、同一セルに接続するユーザ端末１０に対して、各ユーザ端末１０が無線基地局装置２０と無線通信するための制御情報を通知する。当該セルにおける通信のための情報には、例えば、上りリンク又は下りリンクにおけるシステム帯域幅や、ＰＲＡＣＨ（Physical  Random  Access  Channel）におけるランダムアクセスプリアンブルの信号を生成するためのルート系列の識別情報（Root  Sequence  Index）などが含まれる。
【００７４】
送受信部２０３ａ，２０３ｂは、ベースバンド信号処理部２０４から出力されたベースバンド信号を無線周波数帯に変換する。アンプ部２０２ａ，２０２ｂは、周波数変換された無線周波数信号を増幅して送受信アンテナ２０１ａ，２０１ｂへ出力する。
【００７５】
一方、上りリンクによりユーザ端末１０から無線基地局装置２０に送信される信号については、送受信アンテナ２０１で受信された無線周波数信号がアンプ部２０２ａ，２０２ｂで増幅され、送受信部２０３ａ，２０３ｂで周波数変換されてベースバンド信号に変換され、ベースバンド信号処理部２０４に入力される。
【００７６】
ベースバンド信号処理部２０４は、上りリンクで受信したベースバンド信号に含まれる送信データに対して、ＦＦＴ処理、ＩＤＦＴ処理、誤り訂正復号、ＭＡＣ再送制御の受信処理、ＲＬＣレイヤ、ＰＤＣＰレイヤの受信処理を行う。復号された信号は伝送路インターフェース２０６を介して上位局装置３０に転送される。
【００７７】
呼処理部２０５は、通信チャネルの設定や解放等の呼処理や、無線基地局装置２０の状態管理や、無線リソースの管理を行う。
【００７８】
次に、図８を参照しながら、本実施の形態に係るユーザ端末の全体構成について説明する。ＬＴＥ端末もＬＴＥ−Ａ端末もハードウエアの主要部構成は同じであるので、区別せずに説明する。ユーザ端末１０は、送受信アンテナ１０１と、アンプ部１０２と、送受信部１０３と、ベースバンド信号処理部１０４と、アプリケーション部１０５とを備えている。
【００７９】
下りリンクのデータについては、送受信アンテナ１０１で受信された無線周波数信号がアンプ部１０２で増幅され、送受信部１０３で周波数変換されてベースバンド信号に変換される。このベースバンド信号は、ベースバンド信号処理部１０４でＦＦＴ処理や、誤り訂正復号、再送制御の受信処理等がなされる。この下りリンクのデータの内、下りリンクの送信データは、アプリケーション部１０５に転送される。アプリケーション部１０５は、物理レイヤやＭＡＣレイヤより上位のレイヤに関する処理等を行う。また、下りリンクのデータの内、報知情報も、アプリケーション部１０５に転送される。
【００８０】
一方、上りリンクの送信データは、アプリケーション部１０５からベースバンド信号処理部１０４に入力される。ベースバンド信号処理部１０４においては、マッピング処理、再送制御（ＨＡＲＱ）の送信処理や、チャネル符号化、ＤＦＴ処理、ＩＦＦＴ処理を行う。送受信部１０３は、ベースバンド信号処理部１０４から出力されたベースバンド信号を無線周波数帯に変換する。その後、アンプ部１０２は、周波数変換された無線周波数信号を増幅して送受信アンテナ１０１より送信する。
【００８１】
図９を参照して、無線基地局装置の機能ブロックについて説明する。図９に示す無線基地局装置は、集中制御型の無線基地局構成を有する。集中制御の場合、ある無線基地局装置（集中無線基地局装置、図９においてセル１）で一括してスケジューリングなどの無線リソース割り当て制御を行い、配下の無線基地局装置（遠隔無線装置、図９においてセル２）は無線基地局装置の無線リソース割り当て結果に従う。この場合、フィードバック情報（ＣＱＩ）は、無線基地局装置のユーザスケジューリング制御部９２１において、複数セル間の無線リソース割り当て等に必要な情報として使われる。
【００８２】
なお、図９の各機能ブロックは、主に図７に示すベースバンド処理部２０４の処理内容に関するものである。また、図９の機能ブロック図は、本発明を説明するために簡略化したものであり、ベースバンド処理部２０４において通常備える構成を備えるものとする。
【００８３】
集中無線基地局装置（セル１）側の送信部は、下り制御情報生成部９０１と、下り制御情報符号化・変調部９０２と、下り参照信号生成部９０３と、下り送信データ生成部９０４と、上位制御情報生成部９０５と、下り送信データ符号化・変調部９０６とを備えている。また、集中無線基地局装置（セル１）側の送信部は、マッピング部９０７と、プリコーディング乗算部９０８と、プリコーディングウェイト生成部９０９と、下りチャネル多重部９１０と、ＩＦＦＴ部９１１（９１１ａ，９１１ｂ）と、ＣＰ付加部９１２（９１２ａ，９１２ｂ）と、送信アンプ９１３（９１３ａ，９１３ｂ）と、送信アンテナ９１４（９１４ａ，９１４ｂ）と、制御チャネル信号復調部９２０と、ユーザスケジューリング制御部９２１とを備えている。なお、送信アンプ９１３及び送信アンテナ９１４は、それぞれ図７に示すアンプ部２０２及び送受信アンテナ２０１に対応する。
【００８４】
一方、配下セルの遠隔無線装置（セル２）側の送信部は、下り制御情報生成部９３１と、下り制御情報符号化・変調部９３２と、下り参照信号生成部９３３と、下り送信データ生成部９３４と、下り送信データ符号化・変調部９３６とを備えている。また、配下セルの遠隔無線装置（セル２）側の送信部は、マッピング部９３７と、プリコーディング乗算部９３８と、プリコーディングウェイト生成部９３９と、下りチャネル多重部９４０と、ＩＦＦＴ部９４１ａ，９４１ｂと、ＣＰ付加部９４２ａ，９４２ｂと、送信アンプ９４３ａ，９４３ｂと、送信アンテナ９４４ａ，９４４ｂとを備えている。なお、集中無線基地局装置と配下セルの遠隔無線装置とは、例えば、光ファイバで接続されている。
【００８５】
下り制御情報生成部９０１，９３１は、それぞれユーザスケジューリング制御部９２１の制御により下りリンクの制御情報を生成し、その下り制御情報を下り制御情報符号化・変調部９０２，９３２にそれぞれ出力する。下り制御情報符号化・変調部９０２，９３２は、下り制御情報に対してチャネル符号化及びデータ変調を行い、マッピング部９０７，９３７にそれぞれ出力する。
【００８６】
下り参照信号生成部９０３，９３３は、下り参照信号（ＣＲＳ，ＣＳＩ−ＲＳ，ＤＭ−ＲＳ）を生成し、その下り参照信号をマッピング部９０７，９３７にそれぞれ出力する。下り送信データ生成部９０４，９３４は、下りリンクの送信データを生成し、その下り送信データを下り送信データ符号化・変調部９０６，９３６にそれぞれ出力する。
【００８７】
上位制御情報生成部９０５は、ハイヤレイヤシグナリング（例えば、ＲＲＣシグナリング）により送受信される上位制御情報を生成し、生成した上位制御情報を下り送信データ符号化・変調部９０６に出力する。例えば、上位制御情報生成部９０５は、ユーザ端末１０に対するメジャメント候補セル、チャネル品質測定用セル及びＣｏＭＰ送信伝達セルなどの通知を含む上位制御情報を生成する。
【００８８】
下り送信データ符号化・変調部９０６は、下り送信データ及び上位制御情報に対してチャネル符号化及びデータ変調を行い、マッピング部９０７に出力する。下り送信データ符号化・変調部９３６は、下り送信データに対してチャネル符号化及びデータ変調を行い、マッピング部９３７に出力する。
【００８９】
マッピング部９０７，９３７は、下り制御情報、下り参照信号、下り送信データ及び上位制御情報をマッピングして、プリコーディング乗算部９０８，９３８にそれぞれ出力する。
【００９０】
プリコーディングウェイト生成部９０９，９３９は、ユーザ端末１０からフィードバックされるＰＭＩに基づいてプリコーディングウェイトを生成し、プリコーディング乗算部９０８，９３８にそれぞれ出力する。具体的には、プリコーディングウェイト生成部９０９，９３９は、それぞれコードブックを備えており、コードブックからＰＭＩに対応するプリコーディングウェイトを選択する。なお、プリコーディングウェイト生成部９０９，９３９で利用されるＰＭＩは、制御チャネル信号復調部９２０から与えられる。
【００９１】
プリコーディング乗算部９０８，９３８は、プリコーディングウェイトを送信信号に乗算する。すなわち、プリコーディング乗算部９０８，９３８は、プリコーディングウェイト生成部９０９，９３９から与えられるプリコーディングウェイトに基づいて、送信アンテナ９１４ａ，９１４ｂ、送信アンテナ９４４ａ，９４４ｂごとに位相シフト及び／又は振幅シフトを行う。プリコーディング乗算部９０８，９３８は、位相シフト及び／又は振幅シフトされた送信信号を下りチャネル多重部９１０，９４０にそれぞれ出力する。
【００９２】
下りチャネル多重部９１０，９４０は、位相シフト及び／又は振幅シフトされた下り制御情報、下り参照信号、上位制御情報及び下り送信データを合成し、送信アンテナ９１４ａ，９１４ｂ、送信アンテナ９４４ａ，９４４ｂごとの送信信号を生成する。下りチャネル多重部９１０，９４０は、この送信信号をＩＦＦＴ（Inverse  Fast  Fourier  Transform）部９１１ａ，９１１ｂ、ＩＦＦＴ部９４１ａ，９４１ｂにそれぞれ出力する。
【００９３】
ＩＦＦＴ部９１１ａ，９１１ｂ、ＩＦＦＴ部９４１ａ，９４１ｂは、送信信号にＩＦＦＴして、ＩＦＦＴ後の送信信号をＣＰ付加部９１２ａ，９１２ｂ、ＣＰ付加部９４２ａ，９４２ｂに出力する。ＣＰ付加部９１２ａ，９１２ｂ、ＣＰ付加部９４２ａ，９４２ｂは、ＩＦＦＴ後の送信信号にＣＰ（Cyclic  Prefix）を付加して、ＣＰ付加後の送信信号を送信アンプ９１３ａ，９１３ｂ、送信アンプ９４３ａ，９４３ｂにそれぞれ出力する。
【００９４】
送信アンプ９１３ａ，９１３ｂ、送信アンプ９４３ａ，９４３ｂは、ＣＰ付加後の送信信号を増幅する。増幅後の送信信号は、送信アンテナ９１４ａ，９１４ｂ、送信アンテナ９４４ａ，９４４ｂからそれぞれ下りリンクでユーザ端末１０に送出される。
【００９５】
制御チャネル信号復調部９２０は、ユーザ端末１０からＰＵＣＣＨにより通知される制御チャネル信号を復調して、制御チャネル信号に含まれるＰＭＩをプリコーディングウェイト生成部９０９，９３９に出力し、ＣＱＩをユーザスケジューリング制御部９２１に出力する。なお、ＣＱＩがＰＵＳＣＨにより通知される場合には、不図示の上りデータチャネル復調部において上り送信データを復調し、上り送信データに含まれるＣＱＩをユーザスケジューリング制御部９２１に出力する。
【００９６】
ユーザスケジューリング制御部９２１には、上位レイヤからメジャメントレポート結果（ＲＳＲＰ／ＲＳＲＱ）が通知される。また、ユーザスケジューリング制御部９２１は、ＣＱＩに基づいて、ＣｏＭＰ送信（ＤＰＳ）適用時に、ユーザ端末１０に共有データチャネルを送信するＣｏＭＰ送信伝達セル及びデータ送信を停止する協調セルを決定する。
【００９７】
上記構成のシステムを適用した無線通信システムについて説明する。
方法１が適用される場合には、まず、上位制御情報生成部９０５において、ユーザ端末１０に対するメジャメント候補セルの通知を含む上位制御情報が生成される。ユーザ端末１０からのメジャメントレポート結果（ＲＳＲＰ／ＲＳＲＱ）は、上位レイヤからユーザスケジューリング制御部９２１に通知される。方法１−１が適用される場合には、メジャメントレポート結果とともに共有データチャネル無送信候補セル情報がユーザスケジューリング制御部９２１に通知される。
【００９８】
メジャメントレポート結果に基づいて、上位制御情報生成部９０５において、ユーザ端末１０に対するチャネル品質測定用セルの通知を含む上位制御信号が生成される。ユーザ端末１０からのＣＱＩは、制御チャネル信号復調部９２０で復調されて、ユーザスケジューリング制御部９２１に通知される。方法１−２が適用される場合には、ＣＱＩとともに共有データチャネル無送信候補セル情報がユーザスケジューリング制御部９２１に通知される。
【００９９】
ユーザ端末１０からフィードバックされたＣＱＩに基づいて、上位制御情報生成部９０５において、ユーザ端末１０に対するＣｏＭＰ送信伝達セルの通知を含む上位制御信号が生成される。
【０１００】
方法２が適用される場合には、まず、上位制御情報生成部９０５において、ユーザ端末１０に対するメジャメント候補セルの通知を含む上位制御情報が生成される。ユーザ端末１０からのメジャメントレポート結果（ＲＳＲＰ／ＲＳＲＱ）は、上位レイヤからユーザスケジューリング制御部９２１に通知される。上位制御情報生成部９０５では、メジャメントレポート結果に基づいて、共有データチャネル無送信候補セルが推定される。
【０１０１】
メジャメントレポート結果に基づいて、上位制御情報生成部９０５において、ユーザ端末１０に対するチャネル品質測定用セルの通知を含む上位制御信号が生成される。ユーザ端末１０からのＣＱＩは、制御チャネル信号復調部９２０で復調されて、ユーザスケジューリング制御部９２１に通知される。
【０１０２】
ユーザ端末１０からフィードバックされたＣＱＩに基づいて、上位制御情報生成部９０５において、ユーザ端末１０に対するＣｏＭＰ送信伝達セルの通知を含む上位制御信号が生成される。
【０１０３】
図１０を参照して、図９に示す無線基地局装置とは異なる構成の無線基地局装置の機能ブロックについて説明する。図１０に示す無線基地局装置は、自律分散制御型の無線基地局構成を有する。自律分散制御の場合、複数の無線基地局装置で、それぞれスケジューリングなどの無線リソース割り当て制御が行われる。この場合、フィードバック情報（ＣＱＩ）は、複数の無線基地局装置におけるユーザスケジューリング制御部９２１，９５１において、それぞれの無線リソース割り当て等に必要な情報として使われる。
【０１０４】
なお、図１０の各機能ブロックは、主に図７に示すベースバンド処理部２０４の処理内容に関するものである。また、図１０の機能ブロック図は、本発明を説明するために簡略化したものであり、ベースバンド処理部２０４において通常備える構成を備えるものとする。また、図１０において、図９と同じ機能ブロックについては図９と同じ符号を付してその詳細な説明は省略する。
【０１０５】
セル１側の送信部は、下り制御情報生成部９０１と、下り制御情報符号化・変調部９０２と、下り参照信号生成部９０３と、下り送信データ生成部９０４と、上位制御情報生成部９０５と下り送信データ符号化・変調部９０６と、マッピング部９０７と、プリコーディング乗算部９０８と、プリコーディングウェイト生成部９０９と、下りチャネル多重部９１０と、ＩＦＦＴ部９１１ａ，９１１ｂと、ＣＰ付加部９１２ａ，９１２ｂと、送信アンプ９１３ａ，９１３ｂと、送信アンテナ９１４ａ，９１４ｂと、制御チャネル信号復調部９２０と、ユーザスケジューリング制御部９２１と、セル間制御情報送受信部９２２とを備えている。
【０１０６】
セル２側の送信部も、同様に、下り制御情報生成部９３１と、下り制御情報符号化・変調部９３２と、下り参照信号生成部９３３と、下り送信データ生成部９３４と、上位制御情報生成部９３５と、下り送信データ符号化・変調部９３６と、マッピング部９３７と、プリコーディング乗算部９３８と、プリコーディングウェイト生成部９３９と、下りチャネル多重部９４０と、ＩＦＦＴ部９４１ａ，９４１ｂと、ＣＰ付加部９４２ａ，９４２ｂと、送信アンプ９４３ａ，９４３ｂと、送信アンテナ９４４ａ，９４４ｂと、制御チャネル信号復調部９５０と、ユーザスケジューリング制御部９５１と、セル間制御情報送受信部９５２とを備えている。
【０１０７】
セル２側の送信部が有する上位制御情報生成部９３５、制御チャネル信号復調部９５０、ユーザスケジューリング制御部９５１の機能は、それぞれ、セル１側の送信部が有する上位制御情報生成部９０５、制御チャネル信号復調部９２０、ユーザスケジューリング制御部９２１の機能と同様である。
【０１０８】
すなわち、上位制御情報生成部９３５は、ハイヤレイヤシグナリング（例えば、ＲＲＣシグナリング）により送受信される上位制御情報を生成し、生成した上位制御情報を下り送信データ符号化・変調部９３６に出力する。下り送信データ符号化・変調部９３６は、下り送信データ及び上位制御情報に対してチャネル符号化及びデータ変調を行い、マッピング部９３７に出力する。
【０１０９】
また、制御チャネル信号復調部９５０は、ユーザ端末１０からＰＵＣＣＨにより通知される制御チャネル信号を復調して、制御チャネル信号に含まれるＰＭＩをプリコーディングウェイト生成部９３９に出力し、ＣＱＩをユーザスケジューリング制御部９５１に出力する。なお、ＣＱＩがＰＵＳＣＨにより通知される場合には、不図示の上りデータチャネル復調部において上り送信データを復調し、上り送信データに含まれるＣＱＩをユーザスケジューリング制御部９５１に出力する。ユーザスケジューリング制御部９５１は、ＣＱＩに基づいて対象セルにおける下り制御情報のスケジューリング制御を行う。
【０１１０】
セル間制御情報送受信部９２２，９５２は、Ｘ２インターフェースで接続されており、ユーザスケジューリング制御部９２１，９５１から出力されるタイミング情報やスケジューリング情報などを互いに送受信する。これにより、セル間の協調が可能になっている。
【０１１１】
図１１を参照して、ユーザ端末の機能ブロックについて説明する。なお、図１１の各機能ブロックは、主に図８に示すベースバンド信号処理部１０４の処理内容に関するものである。また、図１１に示す機能ブロックは、本発明を説明するために簡略化したものであり、ベースバンド処理部において通常備える構成は備えるものとする。
【０１１２】
ユーザ端末の受信部は、ＣＰ除去部１１０１と、ＦＦＴ部１１０２と、下りチャネル分離部１１０３と、下り制御情報受信部１１０４と、下り送信データ受信部１１０５と、チャネル推定部１１０６と、チャネル品質測定部１１０７と、ＰＭＩ選択部１１０８と、フィードバック情報生成部１１０９とを備えている。チャネル品質測定部１１０７は、チャネル状態情報生成部として機能する。
【０１１３】
無線基地局装置ｅＮＢから送出された送信信号は、図８に示す送受信アンテナ１０１により受信され、ＣＰ除去部１１０１に出力される。ＣＰ除去部１１０１は、受信信号からＣＰを除去し、ＦＦＴ部１１０２に出力する。ＦＦＴ部１１０２は、ＣＰ除去後の信号を高速フーリエ変換（ＦＦＴ：Fast  Fourier  Transform）し、時間領域の信号から周波数領域の信号に変換する。ＦＦＴ部１１０２は、周波数領域の信号に変換された信号を下りチャネル分離部１１０３に出力する。下りチャネル分離部１１０３は、下りチャネル信号を、下り制御情報、下り送信データ、上位制御情報、下り参照信号に分離する。下りチャネル分離部１１０３は、下り制御情報を下り制御情報受信部１１０４に出力し、下り送信データ及び上位制御情報を下り送信データ受信部１１０５に出力し、下り参照信号をチャネル推定部１１０６に出力する。
【０１１４】
下り制御情報受信部１１０４は、下り制御情報を復調し、復調した制御情報を下り送信データ受信部１１０５に出力する。また、下り制御情報受信部１１０４は、下り制御情報に含まれる制御チャネル信号（例えば、ＰＤＣＣＨ）を復調する。下り送信データ受信部１１０５は、制御情報を用いて下り送信データを復調する。また、下り送信データ受信部１１０５は、下り送信データに含まれる上位制御情報を復調してチャネル品質測定部１１０７に通知する。チャネル推定部１１０６は、下り参照信号を用いてチャネル状態を推定し、推定したチャネル状態をチャネル品質測定部１１０７及びＰＭＩ選択部１１０８に出力する。
【０１１５】
チャネル品質測定部１１０７は、下り送信データ受信部１１０５から通知される上位制御情報に基づいて、チャネル推定部１１０６から通知されるチャネル状態からＲＳＲＰ／ＲＳＲＱ及びＣＱＩを測定する。チャネル品質測定部１１０７で測定されたＲＳＲＰ／ＲＳＲＱ及びＣＱＩは、フィードバック情報としてフィードバック情報生成部１１０９に出力される。
【０１１６】
ＰＭＩ選択部１１０８は、チャネル推定部１１０６から通知されたチャネル状態からコードブックを用いてＰＭＩを選択する。ＰＭＩ選択部１１０８で選択されたＰＭＩは、フィードバック情報としてフィードバック情報生成部１１０９に出力される。
【０１１７】
フィードバック情報生成部１１０９は、チャネル品質測定部１１０７で測定されたＲＳＲＰ／ＲＳＲＱ及びＣＱＩをフィードバック情報として、無線基地局装置２０へフィードバックする。
【０１１８】
上記構成のシステムを適用した無線通信システムについて説明する。
方法１が適用される場合には、チャネル品質測定部１１０７において、無線基地局装置２０から上位制御信号として通知されるメジャメント候補セルの各セルにおけるＲＳＲＰ／ＲＳＲＱを測定し、フィードバック情報生成部１１０９に出力する。
【０１１９】
方法１−１が適用される場合には、フィードバック情報生成部１１０９において、強い干渉を与えることが予想される共有データチャネル無送信候補セルを推定する。フィードバック情報生成部１１０９は、メジャメントレポート結果と共有データチャネル無送信候補セル情報とをフィードバック情報として、無線基地局装置２０へとフィードバックする。そして、ユーザ端末１０は、チャネル品質測定部１１０７において、無線基地局装置２０から上位制御情報として通知されるチャネル品質測定用セルにおけるＣＱＩを測定し、測定したＣＱＩをフィードバック情報生成部１１０９に出力する。フィードバック情報生成部１１０９において、最も通信品質の高いＣＱＩが判定され、当該ＣＱＩがフィードバック情報として、無線基地局装置２０へとフィードバックされる。
【０１２０】
方法１−２が適用される場合には、フィードバック情報生成部１１０９は、メジャメントレポート結果をフィードバック情報として、無線基地局装置２０へとフィードバックする。そして、ユーザ端末１０は、チャネル品質測定部１１０７において、無線基地局装置２０から上位制御情報として通知されるチャネル品質測定用セルにおけるＣＱＩを測定し、測定したＣＱＩとともに共有データチャネル無送信候補セル情報をフィードバック情報生成部１１０９に出力する。フィードバック情報生成部１１０９において、最も通信品質の高いＣＱＩが判定され、当該ＣＱＩ及び共有データチャネル無送信候補セル情報がフィードバック情報として、無線基地局装置２０へとフィードバックされる。
【０１２１】
方法２が適用される場合には、チャネル品質測定部１１０７において、無線基地局装置２０から上位制御信号として通知されるメジャメント候補セルの各セルにおけるＲＳＲＰ／ＲＳＲＱを測定し、フィードバック情報生成部１１０９に出力する。フィードバック情報生成部１１０９は、メジャメントレポート結果をフィードバック情報として、無線基地局装置２０へとフィードバックする。そして、ユーザ端末１０は、チャネル品質測定部１１０７において、無線基地局装置２０から上位制御信号により通知されるチャネル品質測定用セルにおけるＣＱＩを測定する。このとき、上位制御信号又は制御チャネル信号により通知される共有データチャネル無送信候補セルを無送信として、ＣＱＩを測定し、測定したＣＱＩをフィードバック情報生成部１１０９に出力する。フィードバック情報生成部１１０９は、当該ＣＱＩをフィードバック情報として、無線基地局装置２０へとフィードバックする。
【０１２２】
なお、本発明は明細書の記載に限定されず、種々変更して実施することができる。例えば、本明細書では、ユーザ端末ＵＥからのフィードバック情報を、ＣＱＩを用いてシグナリングする態様について例示しているが、無線基地局装置ｅＮＢで共有データチャネル無送信候補セルを特定できれば、他の情報を用いてもよい。例えば、サービングセルであるセル１からの信号受信成分（Ｓ１）と協調セルであるセル２からの信号受信成分（Ｓ２）との比（Ｓ１／Ｓ２）を用いることができる。また、例えば、本明細書に示す構成要素の接続関係、機能などは適宜変更して実施することが可能である。また、本明細書に示す構成は、適宜組み合わせて実施することが可能である。その他、本発明は、本発明の範囲を逸脱しないで適宜変更して実施することができる。
【０１２３】
本出願は、２０１１年１０月１４日出願の特願２０１１−２２６７３３に基づく。この内容は、すべてここに含めておく。
【図１】
2013054683.tif 000003
【図２】
2013054683.tif 000004
【図３】
2013054683.tif 000005
【図４】
2013054683.tif 000006
【図５】
2013054683.tif 000007
【図６】
2013054683.tif 000008
【図７】
2013054683.tif 000009
【図８】
2013054683.tif 000010
【図９】
2013054683.tif 000011
【図１０】
2013054683.tif 000012
【図１１】
2013054683.tif 000013
【国際調査報告】
2013054683.tif 000014
2013054683.tif 000015
2013054683.tif 000016
2013054683.tif 000017